(57)【要約】【課題】不織布にて補強した樹脂防水材の施工において、不織布補強された樹脂防水材層と基体の固着力が強く、しかも不織布を基体に固定する金属円板部において防水材の浮きなどの不良を生じない防水層の施工方法を提供する。【解決手段】基体３０に不織布１６を施工する不織布施工工程、及び不織布１６上に樹脂防水材を形成する反応性組成物を施工して硬化させて樹脂防水材層２８を形成する樹脂防水剤施工工程を有し、不織布施工工程は、不織布１６に固定プレート１２を載置してアンカー材１４を打設固定するものであり、固定プレート１２には複数の貫通孔２０が設けられている樹脂防水層の施工方法とする。【選択図】図３
2009007809.tif 000002
【特許請求の範囲】
【請求項１】
基体に不織布を施工する不織布施工工程、及び前記不織布上に樹脂防水材を形成する反応性組成物を施工して硬化させて樹脂防水材層を形成する樹脂防水剤施工工程を有し、
前記不織布施工工程は、前記不織布に固定プレートを載置してアンカー材を打設固定するものであり、前記固定プレートには複数の貫通孔が設けられていることを特徴とする樹脂防水層の施工方法。
【請求項２】
前記貫通孔の面積の合計が前記固定プレートの面積の５〜２５％であることを特徴とする請求項１に記載の樹脂防水層の施工方法。
【発明の詳細な説明】
【技術分野】
【０００１】
本発明は、一般ないし共同住宅の床やベランダ、小学校、公民館などの公共施設、遊園地等の屋内、屋外の床材、並びに屋上への樹脂防水層、とりわけポリウレタン防水層の施工方法に関するものである。
【背景技術】
【０００２】
基体上にウレタン防水材などの反応硬化性樹脂からなる樹脂防水層を施工する技術が公知である（非特許文献１、特許文献１など）。
【０００３】
非特許文献１には、２液反応硬化型のウレタン防水材が記載されており、特許文献１には、駐車場等の車走行耐久性を要求される用途の建築物躯体表面に有孔緩衝シートを接着剤により接着し、その上にポリウレタン防水層を積層し、さらにその上に仕上げ層を施工する防水層の施工方法が開示されている。
【０００４】
しかるに、非特許文献１に開示された一般的なポリウレタン防水層は強度が十分ではなく、使用中に表面に微小な傷がついた場合、日光が当たる等の温度の変化が大きい場所では、防水層の伸縮によって亀裂が拡大して水が浸透するという問題有するものであった。また特許文献１に開示された技術は、防水層にクッション性を付与するために、下地基材に接着剤層を設け、不織布層に貫通孔を形成して該不織布の上にポリウレタン防水層を形成する反応性組成物を施工する工法であり、敷設する不織布の固定は、貫通孔を通じて浸透した防水材と下地との接着だけであり、またクッション性の発現を目的とするために不織布層の上には樹脂防水材を形成する反応性組成物の不織布への浸透を防止するチクソトロピー性の材料を塗布しており、樹脂防水材層の補強と基体との接着が十分であるとはいえない。
【０００５】
不織布にて補強された樹脂防水材層と基体との接着を強固にする手段として、直径５〜１５ｃｍ程度の金属円板等の固定プレートを載置して該固定プレートの中央部にアンカーを打ち込んで不織布を固定した後に樹脂防水材層を形成する反応性組成物を施工する手段が考えられる。
【０００６】
【非特許文献１】岩田敬治編「ポリウレタン樹脂ハンドブック」日刊工業新聞社、昭和６２年（第５３６−５５４ページ）
【特許文献１】特開平６−１０８５９３号公報
【発明の開示】
【発明が解決しようとする課題】
【０００７】
しかし、金属円板からなる固定プレートの押圧で不織布層が基体に確実に固定されるが、金属円板と防水材の接着が不十分であると該金属円板部において接着不良による膨れ等が発生しやすくなり、この部分を起点とした防水層と基材の接着剥離が発生するおそれもある。
【０００８】
金属円板と施工する防水材との接着を高めるために金属円板の表面に防水材との接着力を高めるプライマーを塗布することは一般的に行われる技術である。ところが、予め金属円板にプライマーを塗布して施工現場に持ち込む方式によれば、プライマーの効果に有効期限がある一方で施工は天候に左右され、有効期限内に施工するには取り扱いが難しいという問題があり、プライマーを現場施工する方式によれば、プライマーの塗布のムラが発生しやすい、金属円板の表面の汚れの除去が十分に行いにくく、プライマーの密着不良が発生しやすい、施工工事中に塗布したプライマー表面に汚れが付着しやすい等の問題がある。
【０００９】
本発明は、上記公知技術の問題点に鑑みて、不織布にて補強した樹脂防水材の施工において、不織布補強された樹脂防水材層と基体の固着力が強く、しかも不織布を基体に固定する金属円板部において防水材の浮きなどの不良を生じない防水層の施工方法を提供することを目的とする。
【課題を解決するための手段】
【００１０】
本発明の樹脂防水層の施工方法は、基体に不織布を施工する不織布施工工程、及び前記不織布上に樹脂防水材を形成する反応性組成物を施工して硬化させて樹脂防水材層を形成する樹脂防水剤施工工程を有し、
前記不織布施工工程は、前記不織布に固定プレートを載置してアンカー材を打設固定するものであり、前記固定プレートには複数の貫通孔が設けられていることを特徴とする。
【００１１】
上記構成の施工方法によれば、不織布補強された樹脂防水材層と基体の固着力が強く、しかも不織布を基体に固定する固定プレートである金属円板部において防水材の浮きなどの不良を生じない樹脂防水材層を施工することができる。
【００１２】
上述の樹脂防水層の施工方法においては、前記貫通孔の面積の合計が前記固定プレートの面積の５〜２５％であることが好ましい。
【００１３】
係る構成の樹脂防水層の施工方法によれば、固定プレート部における樹脂防水層の固定が安定して形成される。貫通孔の面積の合計が前記固定プレートの面積の５％未満の場合には樹脂防水層の浮きが生じやすくなり、２５％を超えると固定プレートの強度が低下する。
【発明を実施するための最良の形態】
【００１４】
本発明の樹脂防水層の施工方法において使用する不織布は、公知の不織布を使用することができ、レーヨン、ビニロン、ナイロン、ポリエステル、ポリプロピレン、ポリエチレンなどの有機繊維の不織布、ガラス繊維の不織布等が例示できる。
【００１５】
不織布層敷設後に表面に施工する樹脂防水材は、公知の反応硬化型の防水材を使用することができる。具体的には、ポリウレタン防水材、エポキシ防水材などが例示できる。これらの中でも、耐久性と可とう性に優れている点でポリウレタン防水材の使用が好ましい。ポリウレタン防水材としては、好ましくはポリプロピレングリコールとジイソシアネート化合物を反応させて得られるイソシアネート基末端のプレポリマーを第１成分とし、ポリオールと芳香族ジアミンを含む第２成分とからなり、施工時に２液を混合して反応性組成物として施工する２液型ポリウレタン防水材の使用が好ましい。
【００１６】
表面に形成する樹脂防水層の厚さは、０．２〜５ｍｍであることが好ましく、０．５〜４ｍｍであることがより好ましい。
【実施例】
【００１７】
図１には、本発明の防水層の施工方法における不織布の施工の好適な形態を部分斜視図にて示した。不織布１６は、基体に固定プレート１２を所定の間隔で配設してアンカー１４を打設して固定する。係る構成により、不織布１６が基体に確実に固定される。固定プレート１２の配置数は、使用する不織布の強度などを勘案して適宜設定する。固定プレート１２による不織布の固定は、隣接する不織布同士を所定幅で重ね合わせた重畳部に設けることが好ましく、係る構成により、不織布が気温の低下により収縮を起こした場合に、重畳部の幅を減ずることによって不織布の端部近傍の樹脂防水材が大きな伸び変形を受けて亀裂を発生することが防止される。
【００１８】
図２は、固定プレート１２の好適な実施形態を例示した斜視図である。固定プレート１２は、断面が台形状の同心円のリブ２２が形成されていて曲げ変形に対する剛性が高くなるように構成されると共に、中央にアンカーを挿通して基体に打設する貫通孔２２と複数の貫通孔２０が設けられている。不織布１６上に施工した反応性組成物は、該貫通孔２０より不織布層に浸透して基体に至り、反応して硬化する結果、固定プレート１２が外周外側と貫通孔２０とで樹脂防水材のアンカー効果が生じる結果、固定プレート１２の表面にプライマーを施工することなく金属円板からなる固定プレート部における樹脂防水材の膨れ等による問題の発生が防止される。
【００１９】
固定プレート１２を構成する金属の材質は特に限定されないが、ステンレススチール、鋼板、アルミニウム、真鍮などが例示される。鋼板にクロムメッキ等を施したものであってもよい。固定プレート１２の厚さは、使用する金属材料と要求される剛性に応じて適宜設定される。鋼板の場合には、０．５〜２ｍｍ程度であることが好ましい。
【００２０】
図３は、不織布層の上に樹脂防水材を施工した防水層の構成を示す断面図である。コンクリート等の基体３０の上に不織布１６が配設され、不織布１６上には、好ましくは規則的に固定プレート１２を載置してアンカー材１４を打設して固定する。不織布１６上に反応性組成物を施工し、反応硬化させて樹脂防水材層２８を形成する。反応性組成物は施工時に固定プレート１２の外周側と複数の貫通孔２０を通じて不織布１６に浸透して基体３０表面に至って反応硬化する。固定プレート１２の外周側と複数の貫通孔２０を通じて不織布１６に浸透・硬化した樹脂防水材の作用により、固定プレート１２の表面と樹脂防水材の接着力が小さくても樹脂防水材層の膨れが防止される。基体３０には、プライマーを施工処理しておくことが好ましい。
【図面の簡単な説明】
【００２１】
【図１】本発明の防水層の施工方法における不織布の施工の好適な形態を例示した部分斜視図
【図２】固定プレート１２の好適な実施形態を例示した斜視図
【図３】不織布層の上に樹脂防水材を施工した防水層の構成を示す断面図
【符号の説明】
【００２２】
１２      固定プレート
１４      アンカー材
１６      不織布
２０      貫通孔
２８      樹脂防水材層
３０      基体
【図１】
2009007809.tif 000003
【図２】
2009007809.tif 000004
【図３】
2009007809.tif 000005